(57)【要約】【課題】  使用者がゴーグルを着用した状態でヘッドバンドの緊張程度の調整を迅速に行なえるようにする。【解決手段】  外表面と内表面を具えレンズを収容する左右のリム、及び左右のリムの内側に設けられたブリッジ、及び左右のリムの外側に組み付けられたヘッドバンドを具え、左右のリムの外側に接続体が設けられ、該接続体に組み付け孔と舌片が設けられ、該組み付け孔に調整装置が組み付けられ、該舌片が調整装置の作動後の回復力を提供し、該調整装置が止動アームと押さえアームを具えた固定支持軸と、固定支持軸に枢設されてヘッドバンドが通される第１カバーと第２カバーを具え、止動アーム、押さえアーム及び第２カバー上の弾性ボタンの組合せにより、ヘッドバンド上の止動溝に対して逆止めの有無の制御を行なえる。【選択図】        図１
0003104020.tif 000002
【実用新案登録請求の範囲】
【請求項１】
左、右リム、調整装置、ヘッドバンドを具え、
該左、右リムはブリッジで一体に接続され、各リムが外表面と内表面を具え、内、外表面の間にレンズを収容する収容溝が設けられ、左、右リムの外側に接合面が設けられ、該接合面に接続体が設けられ、該接続体に組み付け孔と舌片が設けられ、
該調整装置は左、右リムの接続体に組み付けられ、第１カバー、固定支持軸、第２カバーを具え、
該第１カバーは第１表面と該第１表面の両側に近接する第２表面と第３表面を具え、第１表面に結合柱とヘッドバンド穿孔が設けられ、第２、３表面に相互に対応する軸接孔が設けられ、
該固定支持軸は該軸接孔に枢設され、その結合柱に位置する一側に押さえアームが設けられ、その一端が舌片に当接し、別にヘッドバンド穿孔に位置する一側に止動アームが設けられ、
該第２カバーは第１表面と第１表面の両側に近接する第２表面と第３表面を具え、第１カバーと結合されて一体とされて接続体を完全に被覆し、押さえアームに対応する第１表面に押さえアームに対する押圧制御に供される弾性ボタンが設けられ、
該ヘッドバンドは、第１カバーのヘッドバンド穿孔に通され、止動アームによる係止に供される複数の止動溝を具え、
以上の構造により、固定支持軸が回転の中心とされ、押さえアームが舌片を押さえ、ヘッドバンドが単方向にのみ引っ張り調整可能とされ、弾性ボタンが押される時、該押さえアームが下に移動して止動アームが上に移動してヘッドバンドの止動溝との係合を解除し、この時ヘッドバンドが両方向に引っ張り調整可能とされ、これによりヘッドバンドの係止と非係止の制御が達成されて水泳用ゴーグルを取り外さずにヘッドバンドに対する緊緩の調整が行なえるよう形成されたことを特徴とする、水泳用ゴーグル。
【請求項２】
請求項１記載の水泳用ゴーグルにおいて、接続体が実心ブロック体とされて左、右リムの外側縁に接合面より小さく一体に延伸されてなることを特徴とする、水泳用ゴーグル。
【請求項３】
請求項２記載の水泳用ゴーグルにおいて、接合面と実心ブロック体の間の四つの角部にＬ形の係止溝が設けられたことを特徴とする、水泳用ゴーグル。
【請求項４】
請求項３記載の水泳用ゴーグルにおいて、組み付け孔が該実心ブロック体の中央に設けられ、舌片が該組み付け孔に対応する実心ブロック体の下縁に設けられたことを特徴とする、水泳用ゴーグル。
【請求項５】
請求項１記載の水泳用ゴーグルにおいて、第１カバーと第２カバーの結合が、第１カバーの第２、３表面の内側に設けられた係止溝と、第２カバーの第２、３表面の内側に設けられた係止柱の係合によりなされることを特徴とする、水泳用ゴーグル。
【請求項６】
請求項１記載の水泳用ゴーグルにおいて、第１カバーと第２カバーの第２、３表面の内縁の間に、案内面が設けられたことを特徴とする、水泳用ゴーグル。
【請求項７】
請求項１記載の水泳用ゴーグルにおいて、押さえアームの舌片と当接する一側が円弧端とされ、弾性ボタンに対応する一側が平面端とされたことを特徴とする、水泳用ゴーグル。
【請求項８】
請求項１記載の水泳用ゴーグルにおいて、止動アームの端部が斜面とされたことを特徴とする、水泳用ゴーグル。
【請求項９】
請求項４記載の水泳用ゴーグルにおいて、第１カバーと第２カバーにＬ形の係止溝とそれに対応するＬ形の係止柱が設けられたことを特徴とする、水泳用ゴーグル。
【請求項１０】
請求項９記載の水泳用ゴーグルにおいて、弾性ボタンが第２カバーの上表面に懸垂式に一体形成されたことを特徴とする、水泳用ゴーグル。
【請求項１１】
請求項１０記載の水泳用ゴーグルにおいて、弾性ボタンの押圧される一面が傾斜状に形成され且つ摩擦を増す凸條が形成されたことを特徴とする、水泳用ゴーグル。
【請求項１２】
請求項１記載の水泳用ゴーグルにおいて、ブリッジが左、右リムと一体に形成されたことを特徴とする、水泳用ゴーグル。
【請求項１３】
請求項１記載の水泳用ゴーグルにおいて、左、右リムの内表面に一体に保護パッドが形成されたことを特徴とする、水泳用ゴーグル。
【請求項１４】
請求項１記載の水泳用ゴーグルにおいて、押さえアームは舌片に対してあらかじめ押圧力を具備するものとされて、舌片がエネルギーを保存して押さえアームの反対端の止動アームを押し上げることを特徴とする、水泳用ゴーグル。
【考案の詳細な説明】
【技術分野】
【０００１】
本考案は一種の水泳用ゴーグルに係り、特に、ゴーグルのヘッドバンドに対して迅速な調整が行なえ、着用使用に便利な水泳用ゴーグルに関する。
【背景技術】
【０００２】
水泳用ゴーグル、左リム、右リム、ブリッジ及びヘッドバンド装置を具え、そのうちヘッドバンド装置はヘッドバンドとヘッドバンドの長さを調整する調整バックルを具えている。一般に使用者が水泳用ゴーグルを着用する時、最も面倒であると感じるのは着用時のヘッドバンドの長さの調整であり、周知の調整バックルの構造は二つの孔にヘッドバンドをそれぞれ通して固定する。このため、二つの孔に通されるヘッドバンドの調整は引っ張る方式で行なわれ、ゆえに調整時に水泳用ゴーグルを頭部より取り外して長さの調整を行ない、さらに調整後に頭部に戻すのは避けられない動作である。このほか、ヘッドバンドを引っ張って上手く調整するのは容易でなく、往々にして一度の調整では予期された結果が得られないことがあり、このため使用者が水泳用ゴーグルを何度も着脱して調整を行なわねばならないことがよくある。且つ最も重要であることは、何度調整しても満足のいく結果が得られないことがあり、このため使用者は周知のヘッドバンドの調整に対して非常に面倒で不便と感じるものである。
【考案の開示】
【考案が解決しようとする課題】
【０００３】
本考案の主要な目的は、水泳用ゴーグルを頭部より取り外さずにヘッドバンドの緊緩を調整できるようにし、且つ一度の調整位置決め或いは微調整の操作を可能とし、調整に便利とし、且つ着用者の実際の使用要求に符合するよう調整できるようにすることにある。
【課題を解決するための手段】
【０００４】
請求項１の考案は、左、右リム、調整装置、ヘッドバンドを具え、
該左、右リムはブリッジで一体に接続され、各リムが外表面と内表面を具え、内、外表面の間にレンズを収容する収容溝が設けられ、左、右リムの外側に接合面が設けられ、該接合面に接続体が設けられ、該接続体に組み付け孔と舌片が設けられ、
該調整装置は左、右リムの接続体に組み付けられ、第１カバー、固定支持軸、第２カバーを具え、
該第１カバーは第１表面と該第１表面の両側に近接する第２表面と第３表面を具え、第１表面に結合柱とヘッドバンド穿孔が設けられ、第２、３表面に相互に対応する軸接孔が設けられ、
該固定支持軸は該軸接孔に枢設され、その結合柱に位置する一側に押さえアームが設けられ、その一端が舌片に当接し、別にヘッドバンド穿孔に位置する一側に止動アームが設けられ、
該第２カバーは第１表面と第１表面の両側に近接する第２表面と第３表面を具え、第１カバーと結合されて一体とされて接続体を完全に被覆し、押さえアームに対応する第１表面に押さえアームに対する押圧制御に供される弾性ボタンが設けられ、
該ヘッドバンドは、第１カバーのヘッドバンド穿孔に通され、止動アームによる係止に供される複数の止動溝を具え、
以上の構造により、固定支持軸が回転の中心とされ、押さえアームが舌片を押さえ、ヘッドバンドが単方向にのみ引っ張り調整可能とされ、弾性ボタンが押される時、該押さえアームが下に移動して止動アームが上に移動してヘッドバンドの止動溝との係合を解除し、この時ヘッドバンドが両方向に引っ張り調整可能とされ、これによりヘッドバンドの係止と非係止の制御が達成されて水泳用ゴーグルを取り外さずにヘッドバンドに対する緊緩の調整が行なえるよう形成されたことを特徴とする、水泳用ゴーグルとしている。
請求項２の考案は、請求項１記載の水泳用ゴーグルにおいて、接続体が実心ブロック体とされて左、右リムの外側縁に接合面より小さく一体に延伸されてなることを特徴とする、水泳用ゴーグルとしている。
請求項３の考案は、請求項２記載の水泳用ゴーグルにおいて、接合面と実心ブロック体の間の四つの角部にＬ形の係止溝が設けられたことを特徴とする、水泳用ゴーグルとしている。
請求項４の考案は、請求項３記載の水泳用ゴーグルにおいて、組み付け孔が該実心ブロック体の中央に設けられ、舌片が該組み付け孔に対応する実心ブロック体の下縁に設けられたことを特徴とする、水泳用ゴーグルとしている。
請求項５の考案は、請求項１記載の水泳用ゴーグルにおいて、第１カバーと第２カバーの結合が、第１カバーの第２、３表面の内側に設けられた係止溝と、第２カバーの第２、３表面の内側に設けられた係止柱の係合によりなされることを特徴とする、水泳用ゴーグルとしている。
請求項６の考案は、請求項１記載の水泳用ゴーグルにおいて、第１カバーと第２カバーの第２、３表面の内縁の間に、案内面が設けられたことを特徴とする、水泳用ゴーグルとしている。
請求項７の考案は、請求項１記載の水泳用ゴーグルにおいて、押さえアームの舌片と当接する一側が円弧端とされ、弾性ボタンに対応する一側が平面端とされたことを特徴とする、水泳用ゴーグルとしている。
請求項８の考案は、請求項１記載の水泳用ゴーグルにおいて、止動アームの端部が斜面とされたことを特徴とする、水泳用ゴーグルとしている。
請求項９の考案は、請求項４記載の水泳用ゴーグルにおいて、第１カバーと第２カバーにＬ形の係止溝とそれに対応するＬ形の係止柱が設けられたことを特徴とする、水泳用ゴーグルとしている。
請求項１０の考案は、請求項９記載の水泳用ゴーグルにおいて、弾性ボタンが第２カバーの上表面に懸垂式に一体形成されたことを特徴とする、水泳用ゴーグルとしている。
請求項１１の考案は、請求項１０記載の水泳用ゴーグルにおいて、弾性ボタンの押圧される一面が傾斜状に形成され且つ摩擦を増す凸條が形成されたことを特徴とする、水泳用ゴーグルとしている。
請求項１２の考案は、請求項１記載の水泳用ゴーグルにおいて、ブリッジが左、右リムと一体に形成されたことを特徴とする、水泳用ゴーグルとしている。
請求項１３の考案は、請求項１記載の水泳用ゴーグルにおいて、左、右リムの内表面に一体に保護パッドが形成されたことを特徴とする、水泳用ゴーグルとしている。
請求項１４の考案は、請求項１記載の水泳用ゴーグルにおいて、押さえアームは舌片に対してあらかじめ押圧力を具備するものとされて、舌片がエネルギーを保存して押さえアームの反対端の止動アームを押し上げることを特徴とする、水泳用ゴーグルとしている。
【考案の効果】
【０００５】
本考案の水泳用ゴーグルは、外表面と内表面を具えレンズを収容する左右のリム、及び左右のリムの内側に設けられたブリッジ、及び左右のリムの外側に組み付けられたヘッドバンドを具え、左右のリムの外側に接続体が設けられ、該接続体に組み付け孔と舌片が設けられ、該組み付け孔に調整装置が組み付けられ、該舌片が調整装置の作動後の回復力を提供し、該調整装置が止動アームと押さえアームを具えた固定支持軸と、固定支持軸に枢設されてヘッドバンドが通される第１カバーと第２カバーを具え、止動アーム、押さえアーム及び第２カバー上の弾性ボタンの組合せにより、ヘッドバンド上の止動溝に対して逆止めの有無の制御を行ない、使用者がゴーグルを取り外さなくても直接ヘッドバンドを引っ張ってきつさの調整が行なえ、また弾性ボタンを押してヘッドバンドの弛み具合を調整でき、ゴーグル着用時の調整を迅速に行なえ、ヘッドバンドを一回調整して位置決めするか或いは微調整の制御が行なえ、着用者の実際の使用要求に符合するものとされている。
【考案を実施するための最良の形態】
【０００６】
本考案の水泳用ゴーグルの主要な構造の特徴は以下のとおりである。水泳用ゴーグルの二つのリムの外側に接続体が設けられ、該接続体に組み付け孔と舌片が設けられ、該組み付け孔に調整装置が組み付けられ、該舌片が調整装置の作動後の回復力を提供する。該調整装置は水泳用ゴーグルのヘッドバンドを接続するのに供され、並びにヘッドバンドの緊緩程度の調整制御に供され、該調整装置は、固定支持軸と第１カバーと第２カバーを具え、該固定支持軸に止動アームが設置されてヘッドバンドの止動溝に対して単方向の係止が行なえ、止動アームに対応する押さえアームは該舌片に圧接される。該第１カバーに結合柱が設けられて前述の接続体の組み付け孔と組み合わされ、また、軸接孔が設けられて固定支持軸の枢設に供され、該軸接孔に近接してヘッドバンド穿孔が設けられている。第２カバーは第１カバーと一体に結合され、接続体を完全に被覆し、それに押さえアームに対して押圧制御を行なう弾性ボタンが設けられている。
【０００７】
組立後の本考案の水泳用ゴーグルは、押さえアームが舌片を押さえ、並びに舌片の蓄積したエネルギーにより反対端の止動アームがヘッドバンドの止動溝に係止され、ヘッドバンドが単方向にのみ引っ張り調整可能とされる。該弾性ボタンが押圧される時、押さえアームが下向きに移動し、該止動アームがこれにより上向きに移動し、止動アームがヘッドバンドの止動溝との係合より離脱し、この時、ヘッドバンドは双方向に引っ張り調整可能とされ、これと同時に舌片が押さえアームの加圧により更に下に移動し、その蓄積する弾性エネルギーが更に大きくなり、弾性ボタンに対する押圧が解除される時、該押さえアームが該舌片による押圧状態より回復し、止動アームにヘッドバンドの止動溝に対する係止を保持させ、これによりヘッドバンドの係止と非係止の制御が達成され、水泳用ゴーグルを取り外さずにヘッドバンドの緊緩の調整が行なえる。
【０００８】
さらに、本考案のもう一つの特徴は以下のとおりである。第１カバーと第２カバーにそれぞれ係止柱が設けられ、該接続体に対応する係止溝が設けられ、該係止柱と係止溝の係合により第１、２カバーが強固に結合される。
【実施例１】
【０００９】
図１に示されるように、本考案の水泳用ゴーグル１は、左リム２、右リム３、ブリッジ４及び調整装置５、及びヘッドバンド（図示せず、図８、９の符号６を参照されたい。それには複数の止動溝６０が設けられている）を具えている。そのうち、左、右リム２、３はブリッジ４と一体に接続され、各リムはいずれも外表面２０、３０と内表面２１、３１を具え、該内、外表面２０、３０と２１、３１の間にレンズ９を収容する収容溝２２、３２が設けられている。別に、左、右リム２、３の内表面２１、３１に一体に軟質保護パッド８が形成されて、使用者の眼窩との快適な接触効果を提供する。また、左、右リム２、３の外側縁に接合面２３、３３が設けられ、且つ該接合面２３、３３に一体に接続体（説明しやすいように左リム２の分解状態のみを表示）が形成され、該接続体２４は実心ブロック体とされ、左リム２の外側縁よりより、該接合面２３より小さく一体に延伸形成され、それに調整装置５が組み付けられる組み付け孔２４１が設けられている。また、図２も参照されたいが、該接続体２４に一体に舌片２４２が延設され、該舌片２４２は調整装置５に作動後の回復のための動作エネルギーを提供する。また、図７に示されるように、該接続体２４と接合面２３の間の四つの角部にＬ形の係止溝２５が設けられている。
【００１０】
該調整装置５は、第１カバー５０、第２カバー５１及び固定支持軸５２を具えている。該第１カバー５０は、第１表面５０１と該第１表面５０１の両側に近接する第２表面５０２と第３表面５０３を具え、該第１表面５０１に結合柱５０４が設けられて前述の接続体２４の組み付け孔２４１と組み合わされる。また、第２、３表面５０２、５０３に相互に対応する軸接孔５０５が設けられて固定支持軸５２の組み付けに供される。該軸接孔５０５の近隣の第１表面５０１にヘッドバンド穿孔５０６が設けられてヘッドバンドが通される。該第２カバー５１は、第１カバー５０と相互に組み付けられて該接続体２４を完全に被覆し、それは同様に第１表面５１１と第１表面５１１の両側に近接する第２表面５１２と第３表面５１３を具え、該第１表面５１１に弾性ボタン５１４が設けられ、その押圧される面に傾斜が形成され且つ摩擦を増す凸條５１５が設けられている。該固定支持軸５２は前述したように、該軸接孔５０５に枢設され、その結合柱５０４に位置する一側に押さえアーム５２１が設けられ、該押さえアーム５２１は円弧端５２２を具えて舌片２４２と当接し（図８）、該弾性ボタン５１４に対応するのは平面端５２３とされる。また、該固定支持軸５２のヘッドバンド穿孔５０２に位置する一側に止動アーム５２４が設けられ、その端部は斜面５２５とされてヘッドバンド６の止動溝６０を係止するのに用いられる（図８）。さらに、図６に示されるように、第１カバー５０と第２カバー５１の結合は、第１カバー５０の第２、３表面５０２、５０３の内側に相互に対応するように設けられた二つの係止溝５０７と、第２カバー５１の相互に対応する第２、３表面５１２、５１３の内側に設けられて該係止溝５０７に係合可能な係止柱５０８の係合による。また、図７に示されるように、第１カバー５０と第２カバー５１にＬ形の係止溝２５に対応するＬ形の係止柱５０９が設けられ、これにより第１カバー５０と第２カバー５１の結合が更に強固とされる。
【００１１】
図３から図５に示されるように、本考案の水泳用ゴーグル１は組立後に、二つのリムの外側の調整装置５の弾性ボタン５１４が第２カバー５１の第１表面５１１よりやや傾斜した状態で露出する。図１と図８を併せて参照されたいが、該固定支持軸５２は枢設後に、その一端の押さえアーム５２１が舌片２４２を押さえ、該舌片２４２に押さえアーム５２１を押圧するエネルギーを具備させ、該固定支持軸５２の反対側に位置する止動アーム５２４がこれにより反対方向に押し上げられてヘッドバンド６の止動溝６０内に係止され、これによりヘッドバンド６が単方向に水泳用ゴーグルの外側に向けてのみ引っ張り可能とされる。これにより水泳用ゴーグル１の外側の一端が引っ張られる時、該止動アーム５２４がヘッドバンド６の止動溝６０の反対方向に向けて移動し、止動アーム５２４の端部の斜面５２５が該止動溝６０に係止されない。反対に、水泳用ゴーグル１の内側の一端が引っ張られる時（点線矢印で表示）、該止動アーム５２４はヘッドバンド６の止動溝６０の方向に移動し、これにより、該止動溝６０の端部の斜面５２５が該止動溝６０に係止される。ゆえに、このような特性により、本考案の水泳用ゴーグルは頭部に着用したままで取り外さなくても、ヘッドバンド６の外側端を直接引っ張ることで、ヘッドバンド６のきつさの調整が行なえる。ヘッドバンド６を緩める調整を行なう必要がある時、図９に示されるように、弾性ボタン５１４を押して止動アーム５２４をヘッドバンド６の止動溝６０の反対方向に向けて移動させて、係止の状態より離脱させれば、ヘッドバンド６の内側端を引っ張って（点線矢印に表示）、調整を行なえる。特に、弾性ボタン５１４を押圧する時、押さえアーム５２１の平面端５２３が押圧され、円弧端５２２が舌片２４２を圧迫して更に下に移動させ、これにより舌片２４２が大きなエネルギーを保存し、弾性ボタン５１４に対する押圧が解除されると、押さえアームが舌片２４２に押圧される状態を回復し、止動アーム５２４をヘッドバンド６の止動溝６０に係止させる。ゆえに、本考案の水泳用ゴーグルは頭部に着用後に直接ヘッドバンドに対して迅速に緊緩程度の調整を行なうことができ、一回の調整で位置決めでき、或いは微調整の操作が行なえ、調整に便利であり、且つ着用者の実際の使用要求に符合する調整を行なうことができる。
【図面の簡単な説明】
【００１２】
【図１】本考案の水泳用ゴーグルの立体分解図である。
【図２】図１の左、右リムとブリッジを１８０度回転させた立体図である。
【図３】図１の立体組合せ図である。
【図４】図３の右側面図である。
【図５】図３の平面図である。
【図６】図４の６−６断面図である。
【図７】図２の７−７断面図である。
【図８】本考案の水泳用ゴーグルのヘッドバンドの係止と係止解除による緊緩程度調整表示図である。
【図９】本考案の水泳用ゴーグルのヘッドバンドの係止と係止解除による緊緩程度調整表示図である。
【符号の説明】
【００１３】
１  水泳用ゴーグル                        ２  左リム
３  右リム                                ４  ブリッジ
５  調整装置                              ６  ヘッドバンド
９  レンズ                                ８  軟質保護パッド
２０、３０  外表面                        ２１、３１  内表面
２２、３２  収容溝                        ２３、３３  接合面
２４  接続体                              ２５  係止溝
２４１  組み付け孔                        ２４２  舌片
５０  第１カバー                          ５１  第２カバー
５２  固定支持軸                          ５０１  第１表面
５０２  第２表面                          ５０３  第３表面
５０４  結合柱                            ５０５  軸接孔
５０６  穿孔                              ５０７  係止溝
５０８  係止柱                            ５０９  係止柱
５１１  第１表面                          ５１２  第２表面
５１３  第３表面                          ５１４  弾性ボタン
５２１  押さえアーム                      ５２２  円弧端
５２３  平面端                            ５２４  止動アーム
５２５  斜面                              ６０  止動溝
【図１】
0003104020.tif 000003
【図２】
0003104020.tif 000004
【図３】
0003104020.tif 000005
【図４】
0003104020.tif 000006
【図５】
0003104020.tif 000007
【図６】
0003104020.tif 000008
【図７】
0003104020.tif 000009
【図８】
0003104020.tif 000010
【図９】
0003104020.tif 000011